(57)【特許請求の範囲】
【請求項１】
電気電子機器収納箱の箱本体又は扉の隅部に設けた空気抜き孔を塞ぎ部材で閉塞する電気電子機器収納箱の空気抜き孔閉塞構造であって、前記空気抜き孔を四角形状の主孔部と該主孔部の一辺を切欠して連設した拡大孔部からなるものとして該拡大孔部側を箱本体又は扉の隅部の内壁側に位置させて設け、また、前記塞ぎ部材を板状の塞ぎ部材本体の背面の一方の両側に前記主孔部の両側にそれぞれ嵌合する脚片部を張設したうえ該塞ぎ部材本体の背面の他方の両側に拡大孔部を通過するが拡大孔部と対向する主孔部の孔辺に係止する弾性片を点対称となるように設けたことを特徴とする電気電子機器収納箱の空気抜き孔閉塞構造。
【発明の詳細な説明】
【技術分野】
【０００１】
本発明は、電気機器収納用箱の製造工程において、電気機器収納用箱を電着塗装槽内に浸漬して電着塗装が行う際に空気を逃がして、エアポケットによる塗装不良を防止するために設けた空気抜き孔を塞ぐ電気電子機器収納箱の空気抜き孔閉塞構造に関するものである。
【背景技術】
【０００２】
電気電子機器収納箱は、厚手の金属板材を折曲加工、溶接したうえ脱脂、化成処理等の各工程を経た後に、電着塗装槽に浸漬して全体を塗装するものである。この場合に電着塗装槽内に浸漬して電着塗装が行う際に空気を逃がして、エアポケットによる塗装不良を防止するために設けた空気抜き孔を設けている。そして、この空気抜き孔は製品状態では不要であるため弾性片を備える塞ぎ部材により塞ぐものであった（例えば、特許文献１参照）。
【０００３】
ところが、電気電子機器収納箱の塗装を塗り替える場合には、塞ぎ部材を取り外す必要がある。この場合に空気抜き孔は電気電子機器収納箱の隅部に設けたものであるため、隅部の内壁と該内壁側の塞ぎ部材の弾性片との間隙が狭いためこの弾性片を撓ませるための作業がしずらいという問題がある。この問題は塞ぎ部材の弾性片を一つとして、内壁側に弾性片により係止せず、この逆側にのみ弾性片で係止することにより解決することができるものである。
【０００４】
しかしながら、これは空気抜き孔に塞ぎ部材を装着する際に弾性片の位置を間違って取り付ける問題がある。
【特許文献１】実開平０５−６２１０７号公開公報（図２）
【発明の開示】
【発明が解決しようとする課題】
【０００５】
本発明は前記のような従来の問題点を解決して、電気機器収納用箱の製造工程において、電着塗装が行う際に空気を逃がして、エアポケットによる塗装不良を防止するために設けた空気抜き孔を製品状態で塞いだ塞ぎ部材を塗装の塗り替え時に容易に取り外すことのできる電気電子機器収納箱の空気抜き孔閉塞構造を提供することである。
【課題を解決するための手段】
【０００６】
本発明の電気電子機器収納箱の空気抜き孔閉塞構造は、電気電子機器収納箱の箱本体又は扉の隅部に設けた空気抜き孔を塞ぎ部材で閉塞する電気電子機器収納箱の空気抜き孔閉塞構造であって、前記空気抜き孔を四角形状の主孔部と該主孔部の一辺を切欠して連設した拡大孔部からなるものとして該拡大孔部側を箱本体又は扉の隅部の内壁側に位置させて設け、また、前記塞ぎ部材を板状の塞ぎ部材本体の背面の一方の両側に前記主孔部の両側にそれぞれ嵌合する脚片部を張設したうえ該塞ぎ部材本体の背面の他方の両側に拡大孔部を通過するが拡大孔部と対向する主孔部の孔辺に係止する弾性片を点対称となるように設けたことを特徴とするものである。
【発明の効果】
【０００７】
前記した本発明の電気電子機器収納箱の空気抜き孔閉塞構造は、塞ぎ部材により空気抜き孔を塞ぐ場合には、塞ぎ部材の板状の塞ぎ部材本体の背面の一方の両側に張設した脚片部を空気抜き孔の主孔部の両側にそれぞれ嵌合させれば、塞ぎ部材本体の背面の他方の両側に点対称に設けた弾性片は空気抜き孔の拡大孔部を通過するが拡大孔部と対向する主孔部の孔辺に係止するものとしているので、拡大孔部を通過する弾性片は撓むことなく、また、主孔部の孔辺に係止する弾性片は孔辺により撓んで空気抜き孔を通過した後に撓みを解消してこの主孔部の孔辺に係止して、空気抜け孔から外れることなく塞ぐことができるものである。
【０００８】
また、このように塞ぎ部材により空気抜き孔を塞ぐ際に、塞ぎ部材の塞ぎ部材本体の背面の他方の両側に拡大孔部を通過するが拡大孔部と対向する主孔部の孔辺に係止する弾性片を点対称となるように設けたものであるので上下反転させても同形状となるので、塞ぎ部材により空気抜き孔を塞ぐ際に場合に、塞ぎ部材の上下の方向性を確認する必要がなく作業性がよいものである。
【０００９】
そして、電気電子機器収納箱の塗装を塗り替える時に塞ぎ部材を取り外す場合には、空気抜き孔が四角形状の主孔部と該主孔部の一辺を切欠して連設した拡大孔部からなるものとして該拡大孔部側を箱本体又は扉の隅部の内壁側に位置させて設けものであるから、隅部の内壁側の塞ぎ部材の弾性片は撓ませることなく拡大孔部を通過するので、内壁とは逆側の指が自由に入り込める開放側の主孔部の孔辺に係止している弾性片のみを撓ませることにより簡単に該塞ぎ部材を取り外すことができるものである。
【発明を実施するための最良の形態】
【００１０】
次に、本発明の好ましい実施の形態を図に示す電気電子機器収納箱の箱本体に基づき説明する。
１は電気電子機器収納箱の箱本体であり、該箱本体１の隅部には空気抜き孔２が設けられている。この空気抜き孔２は電気機器収納用箱を電着塗装槽内に浸漬して電着塗装が行う際に空気を逃がして、エアポケットによる塗装不良を防止するためのものであり、製品状態では不要であり塵埃の侵入を防止するため塞ぐものである。３は前記空気抜き孔を製品状態で塞ぐための塞ぎ部材である。
【００１１】
前記空気抜き孔２は四角形状の主孔部２０と該主孔部２０の一辺２０ａを切欠して連設した拡大孔部２１からなるものとして該拡大孔部２１側を箱本体１の隅部の内壁１１側に位置させて設けたものである。また、前記塞ぎ部材３は板状の塞ぎ部材本体３０の背面の一方の両側に前記主孔部２０の両側にそれぞれ嵌合する脚片部３１、３１を張設したうえ該塞ぎ部材本体３０の背面の他方の両側に拡大孔部２１を通過するが拡大孔部２１を切欠した主孔部２０の一辺２０ａと対向する孔辺２０ｂに係止する弾性片３２、３２を点対称となるように設けたものである。
【００１２】
なお、図１―図６に示す実施形態は、空気抜き孔２の四角形状の主孔部２０の一辺２０ａを切欠して連設した拡大孔部２１を、一辺２０ａの中央から設けたものとしている。そして、塞ぎ部材３の弾性片３２、３２を脚片部３１、３１の先端同士を連携した橋架片３３の内側中央から塞ぎ部材本体３０の背面側の上下に広がるように対向させて点対称の概念に含まれる線対称として設けたものである。
【００１３】
また、図７、図８に示す実施形態は、空気抜き孔２の四角形状の主孔部２０の一辺２０ａを切欠して連設した拡大孔部２１を、一辺２０ａの一方の側方よりに設けたものとしている。そして、塞ぎ部材３の弾性片３２、３２を脚片部３１、３１の先端同士を連携した橋架片３３の内側の一方の側方よりに塞ぎ部材本体３０の背面側の上下に広がるように対向させて点対称として設けたものである。
もちろん、図７に示す実施形態の塞ぎ部材３を図２により説明した空気抜き孔２に使用することができる。
【００１４】
また、図８に示すように空気抜き孔２は主孔部２０と拡大孔部２１のみならず箱本体１の各々の側壁の合わせ部をスリット状に形成してより空気を抜くために空気抜き間隙部２２を設けている。この空気抜き間隙２２によって適確に空気を抜きことができるようになっており、前記した図１−図６の実施形態も同様の構造たなっている。塞ぎ部材３は図９に示すように主孔部２０と拡大孔部２１のみならず空気抜き間隙部２２も覆うものとしている。
なお、塞ぎ部材３の弾性片３２、３２を脚片部３１、３１の先端同士を連携した橋架片３３の内側に設けることなく、橋架片を設けず塞ぎ部材本体３０の背面に張設したものとしてもよい。
【００１５】
このように構成されたものは、製品状態で不要となり塵埃の侵入を防止するため空気抜き孔２を塞ぎ部材３により塞ぐ場合には、塞ぎ部材３の板状の塞ぎ部材本体３０の背面の一方の両側に張設した脚片部３１、３１を空気抜き孔２の主孔部２０の両側にそれぞれ嵌合させれば、塞ぎ部材本体３０の背面の他方の両側に点対称に設けた弾性片３２、３２は空気抜き孔２の拡大孔部２１を通過するが拡大孔部２１と対向する主孔部２０の孔辺２０ｂに係止するものとしているので、拡大孔部２１を通過する弾性片３２は撓むことなく、また、主孔部２０の孔辺２０ｂに係止する弾性片３２は孔辺２０ｂにより撓んで空気抜き孔２を通過した後に撓みを解消してこの主孔部２の孔辺２０ｂに係止して、空気抜け孔２から外れることなく塞ぐことができるものである。
【００１６】
また、塞ぎ部材３の塞ぎ部材本体３０の背面の他方の両側に拡大孔部２１を通過するが拡大孔部２１と対向する主孔部２０の孔辺２０ｂに係止する弾性片３２を点対称となるように設けたものであるので上下反転させても同形状となるので、塞ぎ部材３により空気抜き孔２を塞ぐ際に場合に、塞ぎ部材３の上下の方向性を確認する必要がなく作業性がよいものである。
【００１７】
そして、電気電子機器収納箱の塗装を塗り替える時に塞ぎ部材３を取り外す場合には、空気抜き孔２が四角形状の主孔部２０と該主孔部２０の一辺を切欠して連設した拡大孔部２１からなるものとして該拡大孔部２１側を箱本体１の隅部の内壁１１側に位置させて設けものであるから、隅部の内壁１１側の塞ぎ部材３の弾性片３２は撓ませることなく拡大孔部２１を通過するので、内壁１１とは逆側の指が自由に入り込める開放側の主孔部２０の孔辺２０ｂに係止している弾性片３２のみを撓ませることにより簡単に該塞ぎ部材３を取り外すことができるものである。
【００１８】
なお、前記実施形態は電気電子機器収納箱の箱本体について説明したが扉にあっても同様である。
【図面の簡単な説明】
【００１９】
【図１】本発明の実施形態を示す斜視図。
【図２】本発明の実施形態の要部を示す斜視図
【図３】本発明の実施形態の要部を異にして示す斜視図。
【図４】本発明の実施形態に使用する塞ぎ部材を示す図であり、（Ａ）は側面図、（Ｂ）は斜視図、（Ｃ）は断面図。
【図５】本発明の実施形態の塞ぎ部材により空気抜き孔を塞ぐ工程を示す側面図。
【図６】本発明の実施形態を空気抜き孔に塞ぎ部材により塞いだ状態で示す断面図
【図７】本発明の実施形態に使用する他の塞ぎ部材を示す図であり、（Ａ）は斜視図、（Ｂ）は平面図、（Ｃ）は背面図。
【図８】本発明の実施形態の空気抜き孔の他例を示す正面図。
【図９】本発明の実施形態の空気抜き孔を塞ぎ部材により塞いだ状態を示す一部切欠斜視図。
【符号の説明】
【００２０】
１  箱本体
11  内壁
２  空気抜き孔
20  主孔部
21  拡大孔部
22  空気抜き間隙部 
３  塞ぎ部材
30  板状の塞ぎ部材本体
31  脚片部
32  弾性片
【図１】
0004916473.tif 000002
【図２】
0004916473.tif 000003
【図３】
0004916473.tif 000004
【図４】
0004916473.tif 000005
【図５】
0004916473.tif 000006
【図６】
0004916473.tif 000007
【図７】
0004916473.tif 000008
【図８】
0004916473.tif 000009
【図９】
0004916473.tif 000010